(57)【特許請求の範囲】
【請求項１】
食品を内部に収納した収納部と、該収納部の周辺に位置する周辺部とを有する食品包装単体を、複数一方向にずらせると共に、該複数の食品包装単体の表面及び裏面にわたって帯状の接着テープを貼着してなる食品包装単体の連結体であって、
該接着テープは基材の下面に接着剤層が設けられた接着領域と、接着剤層が設けられていない非接着剤領域と、を有し、該非接着領域に基材の切断が容易な切断容易部が形成され、該切断容易部が隣接する二つの食品包装単体の間において食品包装単体の周辺部の縁部に位置している食品包装単体の連結体。
【請求項２】
前記切断容易部が、基材の幅方向にわたって設けられたミシン目、基材の幅方向の端部に設けられたＶ字カット又はＩカットである請求項１に記載の食品包装単体の連結体。
【請求項３】
前記食品が複数枚のスライスハムである請求項１又は２に記載の食品包装単体の連結体。
【請求項４】
複数枚のスライスハムを内部に収納した円形又は楕円形の収納部と、該収納部の周辺に位置する角形の周辺部とを有する食品包装単体を、複数一方向にずらせると共に、該複数の食品包装単体の表面及び裏面にわたって接着テープを貼着してなる食品包装単体の連結体であって、
該接着テープは基材の下面に接着剤層が設けられた接着領域と、接着剤層が設けられていない非接着領域と、を有し、該非接着領域に基材の切断が容易な切断容易部が形成され、該切断容易部が隣接する二つの食品包装単体の間において食品包装単体の周辺部の縁部に位置している食品包装単体の連結体。
【発明の詳細な説明】
【０００１】
【発明の属する技術分野】
本発明は、個包装した食品包装単体を一括販売する際に、包装材料を節約しながら良好な商品価値を有する食品包装単体の連結体に関し、特に、複数の食肉包装単体を接着テープにより貼着してなる連結体から、各食肉包装単体を容易に分離し得るスライスハム等の食肉包装単体の連結体に関する。
【０００２】
【従来の技術】
従来から、スライスハム、ソーセージ等の食肉製品を包装した食肉包装単体を複数連結する場合に、その位置をずらし重ねた各包装単体の上下面を接着テープ（ラベル）により貼着して連結することが行われている。
【０００３】
例えば、実用新案登録第２５７４５２７号では、収納部と周辺部とを有する包装単体の収納部に、食肉製品を収納し包装してなる食肉製品包装単体の数個を少しずつずらして、その表面及び裏面にそれぞれ接着テープを貼着してなる包装単体の連結体が開示されている。
【０００４】
しかし、この連結体から一個の包装単体を取り外そうとすると、接着テープが包装単体の全面に貼り付いているので、取り外し難いという欠点がある。
【０００５】
このような欠点を改良したものとして、例えば、特許第２９４７３４９号公報には、接着テープを食肉包装単体の物品収納部のみに接着させ、かつ接着テープにミシン目、Ｖ字カット等を形成し、このミシン目等の位置で包装単体を分離できるようにした物品包装単体の連結体が開示されている。
【０００６】
この連結体によれば、接着テープを食肉包装単体の貼着部ではない部分から剥がすことにより、またミシン目、Ｖ字カット等の部分で容易に切断できるので、接着テープの剥離作業が容易であるとされている。
【０００７】
しかし、連結体の作業中や移送中に、接着テープが各包装単体の全面に貼り付くので、個々の包装単体を切断し難いという欠点があり、また食肉包装単体を分割する時に、内容物に力が加わって内容物が変形するおそれがあった。
【０００８】
【発明が解決しようとする課題】
本発明は、上記欠点を解消するためになされたものであり、その目的とするところは、切断容易部が食品包装単体に接着していないことにより、個々の包装単体を容易に切断することができ、また貼り直し時には非接着領域からの剥離が容易となる食品包装単体の連結体を提供することにある。
【０００９】
本発明の他の目的は、移送中や作業中に食品包装単体の欠落を防止し、品質の安定と作業性を高めることができる食品包装単体の連結体を提供することにある。
【００１０】
本発明のさらに他の目的は、移送中や作業中の接着テープの切断を防止し、また貼り直しの発生を減少し、品質の安定と作業性を高めることができる食品包装単体の連結体を提供することにある。
【００１１】
【課題を解決するための手段】
請求項１記載の食品包装単体の連結体は、食品を内部に収納した収納部と、該収納部の周辺に位置する周辺部とを有する食品包装単体を、複数一方向にずらせると共に、該複数の食品包装単体の表面及び裏面にわたって帯状の接着テープを貼着してなる食品包装単体の連結体であって、該接着テープは基材の下面に接着剤層が設けられた接着領域と、接着剤層が設けられていない非接着剤領域と、を有し、該非接着領域に基材の切断が容易な切断容易部が形成され、該切断容易部が隣接する二つの食品包装単体の間において食品包装単体の周辺部の縁部に位置しており、そのことにより上記目的が達成される。
【００１２】
一つの実施態様では、前記切断容易部が、基材の幅方向にわたって設けられたミシン目、基材の幅方向の端部に設けられたＶ字カット又はＩカットである。
【００１３】
一つの実施態様では、前記食品が複数枚のスライスハムである。
【００１４】
請求項４記載の食品包装単体の連結体は、複数枚のスライスハムを内部に収納した円形または楕円形の収納部と、該収納部の周辺に位置する角形の周辺部とを有する食品包装単体を、複数一方向にずらせると共に、該複数の食品包装単体の表面及び裏面にわたって接着テープを貼着してなる食品包装単体の連結体であって、該接着テープは基材の下面に接着剤層が設けられた接着領域と、接着剤層が設けられていない非接着領域と、を有し、該非接着領域に基材の切断が容易な切断容易部が形成され、該切断容易部が隣接する二つの食品包装単体の間において食品包装単体の周辺部の縁部に位置しており、そのことにより上記目的が達成される。
【００１５】
本発明の作用は以下の通りである。
【００１６】
接着テープの非接着領域に基材の切断が容易な切断容易部が形成され、該切断容易部が該食品包装単体の周辺部の縁部に位置していることにより、包装単体の周辺部の縁部を、切断容易部に押し付けることで、容易に接着テープを切断でき、包装単体の分離が容易となる。
【００１７】
【発明の実施の形態】
本発明の食品包装単体の連結体は、図１に示すように、食品を内部に収納した円形、楕円形または四角形等の収納部２と、該収納部２の周辺に位置する四角形の周辺部３とを有する食品包装単体４を、複数一方向にずらせると共に、該複数の食品包装単体４の表面及び裏面にわたって帯状の接着テープ１０を貼着してなるものである。
【００１８】
食品包装単体４は、フィルム状の袋を用いて、その周辺部をヒートシールすることにより、食品が収納部２内に収容される。食品としては、加工食品、食肉加工品を含めるものである。例えば、スライスハム、ソーセージ、ウインナー、ハンバーグ等があげられる。また、包装形態は真空包装またはガス充填包装でもよい。
【００１９】
図１に示す食品包装単体４は、複数枚のスライスハムを内部に収納した円形または楕円形の収納部２と、該収納部２の周辺に位置する角形の周辺部３とを備えており、複数の食品包装単体４が横方向に一部ずらせた状態で、その表裏面が接着テープ１０によって貼着され連接されている。
【００２０】
該接着テープ１０は、図１（ｂ）に示すように、基材１１の下面に接着剤層が設けられた接着領域１２と、接着剤層が設けられていない非接着領域１３とを有し、接着領域１２と非接着領域１３は交互に形成され、テープ１０の端部側から第１接着領域１２ａ、第１非接着領域１３ａ、第２接着領域１２ｂ、第２非接着領域１３ｂ、第３接着領域１２ｃとなっている。なお、接着テープ１０は、接着片、ラベル、ステッカー等を含めるものとする。
【００２１】
基材１１としては、従来より公知の帯状の紙片や合成樹脂テープ１０が使用され、その表面側には価格等の文字、図形等が印刷されている。接着剤層は従来より公知の接着剤を基材１１に塗布、乾燥することにより形成されている。
【００２２】
上記基材１１の非接着領域１３に、基材１１の切断が容易となるように切断容易部１５が形成されている。該切断容易部１５としては、基材１１の幅方向にわたって設けられたミシン目でもよく、基材１１の幅方向の端部に設けられたＶ字カットあるいはＩカットでもよい。この切断容易部１５は、基材１１の非接着領域１３のどの箇所でもよく、あるいは図２及び図３に示すように、接着領域１２と非接着領域１３との境界に形成してもよい。
【００２３】
すなわち、接着テープ１０を食品包装単体４に貼着した場合に、切断容易部１５が食品包装単体４の周辺部３の縁部またはその近傍に位置するようになっている。
【００２４】
図４に示すように、食品包装単体４の裏面にも、表面側と同様に接着テープ２０が貼着されている。食品包装単体４の裏面側に使用される接着テープ２０としては、表面側に使用したものと同様の構成でもよく、あるいは全面に接着剤層が設けられた接着テープでもよい。
【００２５】
図４に示す実施例では、基材２１の下面に接着剤層が設けられた接着領域２２と、接着剤層が設けられていない非接着領域２３とを有するものを使用し、また基材２１の非接着領域２３に、基材２１の切断が容易となるように切断容易部２５が形成されたものを使用している。この切断容易部２５は、基材２１の非接着領域２３または接着領域２２と非接着領域２３との境界に形成され、接着テープ２０を食品包装単体４に貼着した場合に、切断容易部２５が食品包装単体４の周辺部３の縁部またはその近傍に位置している。
【００２６】
図１に示す食品包装単体４では、Ｖ字形カットの分離容易部１５が基材１１の非接着領域１３内において、基材１１の測端部分に形成されている。接着テープ１０の接着剤層は、左側及び中央側の食品包装単体４の収納部２と周辺部３の一部にわたって接着しており、移送中や作業中に接着テープ１０の欠落を防止し、品質の安定と作業性を高めることができる。また、切断容易部１５を特定しており（２カ所）、移送中や作業中の切断を防止し、また貼り直しの発生を減少し、品質の安定と作業性を高めることができる。さらに、切断容易部１５が食品包装単体４に接着していないことにより、分離容易部１５において容易に切断し易く、また貼り直し時には、非接着領域１３からの剥離が容易となる。
【００２７】
このように、食品包装単体４の連結体１の各食品包装単体４からハムを取り出す際には、又は個々の食品包装単体４として保管しておきたいときには、消費者は連結体１から各食品包装単体４を分離することを行うが、分離作業は、例えば、連結の分離したい各食品包装単体４の個々を両手で把持した上で、非接着領域１３におけるＶ字カット等の切断容易部１５に食品包装単体４の周辺部３の端部を押すことにより、基材１１の切断容易部１５から順次幅方向に切断して各食品包装単体４を分離することができる。
【００２８】
図２に示す実施例では、接着テープ１０の一端部に形成された第１の接着領域１２ａが１番目（左側）の食品包装単体４の収納部２及び周辺部３に位置して貼着しており、第２の接着領域１２ｂが２番目（中央）の食品包装単体４の周辺部３に位置して貼着しており、さらに、接着テープ１０の他端部に形成された第３の接着領域１２ｃが第３の食品包装単体４の周辺部３に貼着している。
【００２９】
このような構成にすると、各包装単体４の分離が容易で食品包装単体４の分割時に内容物に加わる力を軽減し、内容物の保護を図ることができる。また接着領域１２、非接着領域１３の境界に切断箇所を特定しているので（２カ所）、連結体１の移送中や作業中に切断したり、貼り直しの発生を軽減し、品質の安定と作業性を高めることができる。さらに、非接着領域１３の２箇所を食品包装単体４表面から浮かしているので、容易に切断し易く、また貼り直し時には非接着部からの剥離が容易となる。
【００３０】
図３に示す実施例では、接着テープ１０の一端部に形成された第１の接着領域１２ａが食品包装単体４の収納部２及び周辺部３に位置して接着しており、第２の接着領域１２ｂが２番目（中央）の食品包装単体４の収納部２の側面及び周辺部３に位置して貼着しており、さらに、接着テープ１０の他端部に形成された第３の接着領域１２ｃが第３の食品包装単体４の収納部２の側面及び周辺部３に貼着している。
【００３１】
このような構成にすると、各包装単体４の分離が容易で食品包装単体４の分割時に内容物に加わる力を軽減し、内容物の保護を図ることができる。また接着領域１２、非接着領域１３の境界に切断箇所を特定しているので（２カ所）、連結体１の移送中や作業中に切断したり、貼り直しの発生を軽減し、品質の安定と作業性を高めることができる。さらに、非接着領域１３の２箇所を食品包装単体４浮かしているので、容易に切断し易く、また貼り直し時には非接着部からの剥離が容易となる。
【００３２】
【発明の効果】
本発明の食品包装単体の連結体によれば、切断容易部が食品包装単体に接着していないので、切断容易部において容易に切断し易く、また貼り直し時には非接着領域からの剥離が容易となる。また、移送中や作業中に食品包装単体の欠落を防止し、品質の安定と作業性を高めることができる。さらに、移送中や作業中の接着テープの切断を防止し、また貼り直しの発生を減少し、品質の安定と作業性を高めることができる。
【図面の簡単な説明】
【図１】図１（ａ）は本発明の食品包装単体の連結体の一実施例の斜視図、図１（ｂ）はその連結体に使用する接着テープの概略平面図である。
【図２】図２（ａ）は本発明の食品包装単体の連結体の他の実施例の斜視図、図２（ｂ）はその連結体に使用する接着テープの概略平面図である。
【図３】図３（ａ）は本発明の食品包装単体の連結体のさらに他の実施例の斜視図、図３（ｂ）はその連結体に使用する接着テープの概略平面図である。
【図４】図４（ａ）は図１で示した本発明の食品包装単体の連結体の裏面側からの実施例の斜視図、図４（ｂ）はその連結体に使用する接着テープの概略平面図である。
【符号の説明】
１    食品包装単体の連結体
２    収納部
３    周辺部
４    包装単体
１０  接着テープ
１５  切断容易部
【図１】
0003564048.tif 000002
【図２】
0003564048.tif 000003
【図３】
0003564048.tif 000004
【図４】
0003564048.tif 000005